(57)【要約】【課題】使い勝手の良い枕一体型抱き枕を提供する。【解決手段】枕部、首部、抱き枕部および足枕部からなる枕一体型抱き枕であって、枕部は、先端部分、中間部分および首部との接続部分とからなり、先端部分は、中間部分よりも厚く、中間部分は、首部との接続部分よりも薄く、幅が大きく、首部との接続部分は、首部よりも厚く、幅が大きく、首部は、一番薄く、幅も一番小さく、使用状態で腕が入る位の凹部を形成するものであり、抱き枕部は、首部から徐々に厚く、しかも幅も大きくなって、内側に膨らみ部を形成して、最大の大きさになり、その後は徐々に薄く、幅も小さくなって行き、足枕に接続するものであり、足枕部は、枕部における首部との接続部と約同じ厚さ、同じ大きさで棒状に伸びていることを特徴とする枕一体型抱き枕である。表皮部材は低反発ポリウレタンからなる。内側部材は軟質ポリウレタン、ポリウレタンチップ、又は空気チューブからなる。【選択図】図１
2005185739.tif 000002
【特許請求の範囲】
【請求項１】
枕部、首部、抱き枕部、および足枕部からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことを特徴とする枕一体型抱き枕。
【請求項２】
枕部、首部、抱き枕部および足枕からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことからなり、
表皮部材は低反発ポリウレタンからなることを特徴とする枕一体型抱き枕。
【請求項３】
枕部、首部、抱き枕部および足枕からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことからなり、
表皮部材は低反発ポリウレタンからなり、
内側部材が軟質ポリウレタンからなることを特徴とする枕一体型抱き枕。
【請求項４】
枕部、首部、抱き枕部および足枕からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことからなり、
表皮部材は低反発ポリウレタンからなり、
内側部材がポリウレタンチップからなることを特徴とする枕一体型抱き枕。
【請求項５】
枕部、首部、抱き枕部および足枕からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことからなり、
表皮部材は低反発ポリウレタンからなり、
内側部材が空気チューブからなることを特徴とする枕一体型抱き枕。
【発明の詳細な説明】
【技術分野】
【０００１】
本発明は、枕と一体に連結された抱き枕、すなわち、枕部、首部、抱き枕部、および足枕部からなる枕一体型抱き枕に関するものである。
【背景技術】
【０００２】
抱き枕には、各種の立体形状をしたものが市販されている。これらは主に外皮を形成する適宜の布の内部に詰め物を充填することにより、一定の立体形状を維持しているものであり、使い勝手が良いものとはいえなかった。
この欠点を改良するものとして、例えば、適宜の布地から上半身に対応する部分を外向き楕円型に拡大湾曲し、下半身に対応する部分を内向き楕円型に縮小湾曲し、下端との中間所要位置で最小幅径とし、下端に向けて拡大湾曲する形状外縁の袋状の外皮布に設け、その内方に合成樹脂ビーズを所要量を充填してなることを特徴とする抱き枕が提案されている。
この抱き枕 は、上述のように構成され、内部には合成樹脂ビーズが詰められているから、これを抱き締めたとき、綿、樹脂クッション材のような弾力性がなく、異質の反発性となり、疲労することがない安定し、また綿、樹脂クッション材と異なって、暑苦しくなく就寝できるものである。また、この抱き枕 の下半身に対応する部分が細く、それから上下方向に太くなるように、逆向きに湾曲するようになっているので、足を載せたときには、中間に圧力が加わり、余裕のある詰め方においても、下端側の合成樹脂ビーズがなくなることがなく、常に一定量が残存し、足を載せて就寝できるものである。
【特許文献１】特開平１１−１１３７０７号公報
【０００３】
前記の欠点を更に改良する抱き枕として、移動が容易であるような分量の詰め物を棒状抱き枕内に封入して棒状抱き枕内に遊びの空間部を残存させ、任意に折り曲げ可能な状態に抱き枕を構成し、使用者は、その時の気分によって抱き蒲団を任意所望の形状に折り曲げて、色々な使用態様で使用することができ、また、色々な使用態様で使用する際に、棒状蒲団側内に封入された詰め物の移動に応じて、常に使用者の身体に馴染んだ状態の抱き蒲団として使用できる抱き枕が提案されている。
この抱き枕内に封入する詰め物としては、ソバ殻、もみ殻、穀物類、木製又はコルク製粒状ボール、発泡スチロールビーズ、ポリエチレンビーズ、細く短い粒状パイプ、等の直径が２ｍｍ〜６ｍｍ程度の粒状の詰め物、あるいは小粒ボール状又は中型ボール状に加工した綿、パンヤ、絹、羊毛、ポリエステル綿、アクリル綿、または前記の材料による混合綿による直径が３ｃｍ〜５ｃｍのボール状の詰め物、もしくは合成樹脂製またはゴム製のスポンジを直径が３ｃｍ〜５ｃｍのボール状に加工したスポンジボール状の詰め物が揚げられている。
【特許文献２】特開２００１−１９０３８４号公報
【０００４】
前記した従来技術は、抱き枕として単独のものである。
これに対して、動物又は人の形をした縫いぐるみの、片腕、片脚、胴体部のいずれかひとつを枕として内部に枕芯材を収納してとすることにより、玩具としての縫いぐるみと頭の枕と抱き枕の機能を併せ持つようにした枕一体型抱き枕が提案されている。
【特許文献３】特開平１０−２３００８２号公報
【０００５】
また、枕部分と抱き枕部分とが連結され、全体としてクエッションマークの様な形をした枕一体型抱き枕が提案され、市販されている。この製品は、外皮素材が綿１００％であり、中材の詰め物がポリエステルわたからなり、全体として硬めのものである。
しかしながら、この従来例は、抱きかかえる部分に手を入れる隙間がないために、横向きの姿勢で寝ると、下になる腕が圧迫され、しびれを感じる。また、抱きかかえたままの姿勢で寝返りを打つことが困難であった。さらに、頭を支える枕部分の高さが一定であるため、横向きで寝ているときに調度良い高さであっても、寝ているときに動いて仰向けになった場合に、枕の高さを感じる。また、仰向けで寝たときに調度良い高さであっても、横向きに姿勢を変えた場合に、枕の低さを感じる。
【非特許文献１】意匠登録第１０１０５９２号
【非特許文献２】http://www.naoshingu.com/pillow_hatena.html  「はてなくん」
【発明の開示】
【発明が解決しようとする課題】
【０００６】
解決しようとする問題点は、前記枕一体型抱き枕の欠点であって、本発明は、枕一体型抱き枕を、更に使い勝手の良いものに改良しようとすることである。
【課題を解決するための手段】
【０００７】
本発明は、枕部、首部、抱き枕部、および足枕部からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことを特徴とする枕一体型抱き枕であることを最も主要な特徴とする。
また、表皮部材は低反発ポリウレタンを使用することも主要な特徴とする。
【発明の効果】
【０００８】
本発明に係る枕一体型抱き枕は、腕が当たる部分である首部を細くすることによって、腕への圧迫を軽減し、痺れによる睡眠の妨害がない状態で、使用可能となった。
また、そのことにより、最小限の力で寝返りを打つことも可能になった。
さらに、枕部を先端部分、中間部分および首部との接続部分と３種の高さに変化を持たせることにより、入眠時の姿勢やその後の寝返りによる姿勢の変化に対応し、より上質な眠りへ導くことを可能にすることができる。
【発明を実施するための最良の形態】
【０００９】
本発明は、枕部、首部、抱き枕部、および足枕部からなる枕一体型抱き枕であって、
枕部は、先端部分、中間部分および首部との接続部分とからなり、
先端部分は、中間部分よりも厚く、同じ幅であり、中間部分は、首部との接続部分よりも薄く、幅が大きく、首部との接続部分は、首部よりも厚く、幅が大きく、
首部は、一番薄く、幅も一番小さく、使用状態で腕が入る位の凹部を形成するものであり、抱き枕部は、首部から徐々に厚く、しかも幅も大きくなって行き、内側に膨らみ部を形成して、最大の大きさになり、その後は徐々に薄く、しかも幅も小さくなって行き、足枕に接続するものであり、足枕部は、枕部における首部との接続部と約同じ厚さ、同じ大きさで棒状にのびて、末端部は丸みを形成したことにより使い勝手の良い枕一体型抱き枕を実現した。
また、表皮部材に低反発ポリウレタンを使用することにより、非常に使い勝手の良い枕一体型抱き枕を実現した。
内部部材としては、従来例において記述した、木製又はコルク製粒状ボール、発泡スチロールビーズ、ポリエチレンビーズ、細く短い粒状パイプ状の詰め物、あるいは小粒ボール状又は中型ボール状に加工したポリエステル綿、アクリル綿、または前記の材料による混合綿によるボール状の詰め物、もしくは合成樹脂製またはゴム製のボール状に加工したスポンジボール等、任意の公知の材料が使用できる。
以下に示す実施例においては、軟質ポリウレタン、ポリウレタンチップ、および空気チューブを使用した例を詳述する。
【実施例１】
【００１０】
図１は、本発明に係る枕一体型抱き枕の全体形状を示す斜視図である。
１は枕部、２は首部、３は抱き枕部、４は足枕である。
枕部１は、先端部分１ａ、中間部分１ｂ、および首部との接続部分１ｃとからなり、首部２には、使用状態で腕が入る位の凹部が形成されるものであり、抱き枕部３には、内側に膨らみ部３ａが形成される。
本発明に係る枕一体型抱き枕の全体形状について、図２に平面図、図３に下側側面図、図４に上側側面図、図５に右側側面図、および図６に左側側面図を示す。
さらに、図７に切断箇所（Ａ−ＡからＦ−Ｆ）を示し、その切断箇所に対応した断面図を図８から図１３に示す。
【００１１】
この実施例１では、表皮部材としては低反発ポリウレタン５を使用し、内側部材としては軟質ポリウレタン６を使用する例を説明する。
以下に作業工程を詳述する。
（１）市販の軟質ポリウレタンフォーム６を用意して、内側部材としての所用形状にカットする。
（２）市販の低反発ポリウレタン５として、５０ｍｍ厚さのシートを用意する。
（３）低反発ポリウレタン５のシートを上型、下型の金型にセットする。
（４）低反発ポリウレタン５がセットされた下型の金型に、内側部材としての所用形状にカットされた軟質ポリウレタンフォーム６をセットする。
（５）低反発ポリウレタン５の端面に接着剤を塗布し、上下の金型を緊締し、上下の低反発ポリウレタン５を接着する。
（６）上下の金型をはずし、枕一体型抱き枕を取り出す。
このようにして製造された枕一体型抱き枕の平面断面図を図１４に示す。
この実施例１に係る枕一体型抱き枕は、内側部材として比重の軽い軟質ポリウレタンを使用するために、内部まで全部を低反発ポリウレタン５を使用することと比較するとはるかに軽量化が図れるために、使用時に、抱きかかえた際に枕の下になる手足への圧迫が軽減される。
【実施例２】
【００１２】
この実施例２では、表皮部材としては低反発ポリウレタン５を使用し、内側部材としてはポリウレタンチップ７を使用する例を説明する。
以下に作業工程を詳述する。
（１）市販のポリウレタンチップ７を用意して、内側部材としての所用形状になるように布袋を用意し、その布袋にポリウレタンチップ７充填して心材を用意する。
（２）から（６）工程は、内部部材が布袋に充填されたポリウレタンチップ７に変わっただけで、後は実施例１と同じである。
このようにして製造された枕一体型抱き枕の平面断面図を図１５に示す。
この実施例２に係る枕一体型抱き枕は、枕としてしっかり感が有る上に、製造が容易であり、低価格化が可能である。
【実施例３】
【００１３】
この実施例３では、表皮部材としては低反発ポリウレタン５を使用し、内側部材としては空気チューブ８を使用する例を説明する。
以下に作業工程を詳述する。
（１）適宜の空気チューブ８を用意して、適宜の空気出し入れ口９を取り付けて、内側部材を用意する。
（２）から（６）工程は、内部部材が空気チューブ８に変わっただけで、後は実施例１と同じである。
このようにして製造された枕一体型抱き枕の平面断面図を図１６に示す。
この実施例３に係る枕一体型抱き枕は、体積を小さくすることができるので、持ち運びに便利であり、使用時には、内部に空気を入れて膨らますことができるために、旅行先や車の中での仮眠に使用することができる。
【００１４】
前記実施例において使用した低反発ポリウレタン５は、そのウレタン表面に公知の方法により、抗菌、消臭処理を施すことができる。また、公知の方法により、マイナスイオンを発生させるようにすることができる。これらの処理は、特に、枕部に施すと効果的である。
【００１５】
また、本発明に係る枕一体型抱き枕に公知の表装材を使用してカバーを掛けることができる。夏はメッシュ、冬は毛布と取り替えることができる。
さらに、抗菌、消臭、遠赤外線、磁力線、マイナスイオン等の機能性表装材を使用したカバーを掛けることができる。
【００１６】
本発明に係る枕一体型抱き枕の使用例を以下の参考図に示す。
（ａ）身体の右側を下にした横向きに、本発明に係る枕一体型抱き枕を使用した状態を示す参考図を図１７に示す。
（ｂ）身体を上向きにして、本発明に係る枕一体型抱き枕を使用した状態を示す参考図を図１８にしめす。
（ｃ）本発明に係る枕一体型抱き枕を上向きの使用状態（２）（図１８）から左側に寝返りをした状態を示す参考図を図１９にしめす。
（ｄ）本発明に係る枕一体型抱き枕の抱き枕部の膨らみ部分を背当てとして使用した状態示す参考図を図２０に示す。
【産業上の利用可能性】
【００１７】
本発明に係る枕一体型抱き枕は、腕が当たる部分である首部２を細くすることによって、腕への圧迫を軽減し、痺れによる睡眠の妨害がない状態で、使用可能となったうえに、最小限の力で寝返りを打つことも可能になった。ので、使い勝手の良い抱き枕となった。
また、枕部１を先端部分１ａ、中間部分１ｂおよび首部との接続部分１ｃと３種の高さに変化を持たせることにより、入眠時の姿勢やその後の寝返りによる姿勢の変化に対応し、より上質な眠りへ導くことを可能になった。
さらに、枕部１の先端部分１ａが使用者の首から肩に掛かるので、保温効果がある。
前記の理由により、本発明に掛かる係る枕一体型抱き枕は、非常に使い勝手の良い抱き枕となった。
【図面の簡単な説明】
【００１８】
【図１】本発明に係る枕一体型抱き枕の全体斜視図である。
【図２】本発明に係る枕一体型抱き枕の平面図である。
【図３】本発明に係る枕一体型抱き枕の下側側面図である。
【図４】本発明に係る枕一体型抱き枕の上側側面図である。
【図５】本発明に係る枕一体型抱き枕の右側側面図である。
【図６】本発明に係る枕一体型抱き枕の左側側面図である。
【図７】本発明に係る枕一体型抱き枕の断面箇所を示す平面図である。
【図８】本発明に係る枕一体型抱き枕のＡ−Ａ断面図である。
【図９】本発明に係る枕一体型抱き枕のＢ−Ｂ断面図である。
【図１０】本発明に係る枕一体型抱き枕のＣ−Ｃ断面図である。
【図１１】本発明に係る枕一体型抱き枕のＤ−Ｄ断面図である。
【図１２】本発明に係る枕一体型抱き枕のＥ−Ｅ断面図である。
【図１３】本発明に係る枕一体型抱き枕のＦ−Ｆ断面図である。
【図１４】本発明の実施例１に係る枕一体型抱き枕の平面断面図である。
【図１５】本発明の実施例２に係る枕一体型抱き枕の平面断面図である。
【図１６】本発明の実施例３に係る枕一体型抱き枕の平面断面図である。
【図１７】本発明に係る枕一体型抱き枕の右下横向きの使用状態を示す参考図である。
【図１８】本発明に係る枕一体型抱き枕の上向きの使用状態を示す参考図である。
【図１９】本発明に係る枕一体型抱き枕の上向きの使用状態から左側に寝返りをした状態を示す参考図である。
【図２０】本発明に係る枕一体型抱き枕の抱き枕部の膨らみ部分を背当てとした使用状態示す参考図である。
【符号の説明】
【００１９】
１    枕部
１ａ  枕部の先端部分
１ｂ  枕部の中間部分
１ｃ  枕部の首部に接続部分
２    首部
３    抱き枕部
３ａ  抱き枕部の内側への膨らみ部分
４    足枕部
５    低反発ポリウレタン
６    軟質ポリウレタン
７    布袋に充填されたポリウレタンチップ
８    空気チューブ
９    空気出し入れ口
【図１】
2005185739.tif 000003
【図２】
2005185739.tif 000004
【図３】
2005185739.tif 000005
【図４】
2005185739.tif 000006
【図５】
2005185739.tif 000007
【図６】
2005185739.tif 000008
【図７】
2005185739.tif 000009
【図８】
2005185739.tif 000010
【図９】
2005185739.tif 000011
【図１０】
2005185739.tif 000012
【図１１】
2005185739.tif 000013
【図１２】
2005185739.tif 000014
【図１３】
2005185739.tif 000015
【図１４】
2005185739.tif 000016
【図１５】
2005185739.tif 000017
【図１６】
2005185739.tif 000018
【図１７】
2005185739.tif 000019
【図１８】
2005185739.tif 000020
【図１９】
2005185739.tif 000021
【図２０】
2005185739.tif 000022